(57)【要約】      （修正有）【課題】構造がシンプルで滑らかで、重心が低く、本体重量が軽く、省エネルギーで、コストが低く、積載効率が高く、多機能車両としての効果を満たした多機能車両運搬車を提供する。【解決手段】多機能車両運搬車は昇降平床１を含み、昇降平床１の前、後部分には前スプリングボード２と後スプリングボード３が装着され、その中、昇降平床１の前端は前柱アセンブリに装着され、昇降平床１の後端は尾部支持棒４の上端と摺動接続し、尾部支持棒４の下端はサブフレーム８の後部とピン接続し、尾部支持棒４の中間部はリフトシリンダ９の一端とピン接続し、リフトシリンダ９の他端はサブフレーム８後部とピン接続する。【選択図】図２
0003219162.tif 000002
【実用新案登録請求の範囲】
【請求項１】
多機能車両運搬車であって、
前記多機能車両運搬車は昇降平床を含み、前記昇降平床の前、後部分には前スプリングボードと後スプリングボードが装着され、
前記昇降平床の前端は前柱アセンブリに装着され、前記昇降平床の後部は尾部支持棒の上端と摺動接続し、前記尾部支持棒の下端はサブフレームの後部とピン接続し、前記尾部支持棒の中間部はリフトシリンダの一端とピン接続し、前記リフトシリンダの他端はサブフレームの後部とピン接続することを特徴とする多機能車両運搬車。
【請求項２】
前記尾部支持棒の上端にはスライダーがピン接続され、前記昇降平床の後部にはシュートが設置され、前記スライダーはシュートに沿って前後に移動可能であることを特徴とする請求項１に記載の多機能車両運搬車。
【請求項３】
前記シュートの溝壁には水平方向に沿って複数の第一ピンホールが設置され、前記スライダーとシュートの間は、ピンが第一ピンホールを貫通することにより前記スライダーとシュートを接続して固定することを特徴とする請求項２に記載の多機能車両運搬車。
【請求項４】
前記昇降平床の上面には取り外し可能な保護ネットが装着され、前記保護ネットは錠によりロックを固定することを特徴とする請求項３に記載の多機能車両運搬車。
【請求項５】
前記前柱アセンブリは長方形前柱を含み、前記前柱にはスライドスリーブが被され、前記昇降平床はスライドスリーブにピン接続することを特徴とする請求項１〜請求項４のいずれか1項に記載の多機能車両運搬車。
【請求項６】
前記前柱には垂直方向に沿って複数の第二ピンホールが設置され、前記スライドスリーブと前柱の間は、ピンが第二ピンホールを貫通することにより前記スライドスリーブと前柱を接続して固定することを特徴とする請求項５に記載の多機能車両運搬車。
【請求項７】
前記昇降平床の下端にはピン接続座が接続され、前記ピン接続座はピンにより前記スライドスリーブと接続することを特徴とする請求項６に記載の多機能車両運搬車。
【請求項８】
前記サブフレームの後端には尾部フラップがピン接続され，前記尾部フラップとサブフレーム後部の間にはフリップシリンダーが装着されることを特徴とする請求項５に記載の多機能車両運搬車。
【請求項９】
前記尾部フラップの末端が下へ転覆する角度は0°〜10°で、下へ転覆する角度は0°〜15°であることを特徴とする請求項８に記載の多機能車両運搬車。
【考案の詳細な説明】
【技術分野】
【０００１】
本考案は特殊車両技術分野に関し、詳しくは、多機能車両運搬車に関する。
【背景技術】
【０００２】
経済の発展に伴い、単一形態の輸送手段は顧客の要求を満たせなくなった。図１は、既存の車両運搬車の構造模式図を示すものであり、車両運搬車はサブフレーム１、前柱２、後柱３及びトラス４で構成される固定フレーム構造と、前記フレーム構造に装着される昇降平床５を含み、昇降平床５の前、後部にはそれぞれ前スプリングボード6と後スプリングボード7が装着され、前スプリングボード6は下へ転覆され、後スプリングボード7は上へ転覆する。商用車を順調に積み卸すために、後スプリングボード7の中にスライドダンパを設置し、前方へ延びることが可能になった。
【０００３】
既存の車両運搬車は以下のような欠点がある。
【０００４】
1、車両には後柱３及びトラス４が設置され、外観が複雑で、重心が高く、本体の重量が大きく、走行時の風の抵抗が大きく、構造によるエネルギー消費量が大きい。
【０００５】
2、昇降平床５に装着された後スプリングボード7はスライドダンパの設置が必要であり、構造設計が複雑で、コストが高い。
【０００６】
3、既存の車両運搬車は、多目的で使用できない。
【０００７】
したがって、上記の技術的課題を解決可能な多機能車両運搬車両の設計方法は、本発明者が研究している課題である。
【考案の概要】
【０００８】
本考案の目的は、構造がシンプル且つ滑らかであり、重心が低く、本体重量が軽く、省エネルギーで、コストが低く、積載効率が高い、多機能車両運搬車を提供することである。
【０００９】
上述の目的を実現するため、本考案は多機能車両運搬車を提供する。本考案の多機能車両運搬車は昇降平床を含み、前記昇降平床の前、後部分には前スプリングボードと後スプリングボードが装着され、その中、前記昇降平床の前端は前柱アセンブリに装着され、前記昇降平床の後端は尾部支持棒の上端と摺動接続し、前記尾部支持棒の下端はサブフレームの後部とピン接続し、前記尾部支持棒の中間部はリフトシリンダの一端とピン接続し、前記リフトシリンダの他端はサブフレーム後部とピン接続する。
【００１０】
本考案の多機能車両運搬車において、前記尾部支持棒の上端にはスライダーがピン接続され、前記昇降平床の後部にはシュートが設置され、前記スライダーはシュートに沿って前後に移動可能である。
【００１１】
本考案の多機能車両運搬車において、前記シュートの溝壁には水平方向に沿って複数の第一ピンホールが設置され、前記スライダーとシュートの間は、ピンが第一ピンホールを貫通することにより前記スライダーとシュートを接続して固定する。
【００１２】
本考案の多機能車両運搬車において、前記昇降平床の上面には取り外し可能な保護ネットが装着され，前記保護ネットは錠によりロックを固定する。
【００１３】
本考案の多機能車両運搬車において、前記前柱アセンブリは長方形前柱を含み、前記前柱にはスライドスリーブが被され、前記昇降平床はスライドスリーブにピン接続する。
【００１４】
本考案の多機能車両運搬車において、前記前柱には垂直方向に沿って複数の第二ピンホールが設置され、前記スライドスリーブと前柱の間は、ピンが第二ピンホールを貫通することにより前記スライドスリーブと前柱を接続して固定する。
【００１５】
本考案の多機能車両運搬車において、前記昇降平床の下端にはピン接続座が接続され、前記ピン接続座はピンにより前記スライドスリーブと接続する。
【００１６】
本考案の多機能車両運搬車において、前記サブフレームの後端には尾部フラップがピン接続され，前記尾部フラップとサブフレーム後部の間にはフリップシリンダーが装着される。
【００１７】
本考案の多機能車両運搬車において、前記尾部フラップの末端が下へ転覆する角度は0°〜10°で、下へ転覆する角度は0°〜15°である。
【００１８】
上述の形態を採用した後、本考案の多機能車両運搬車は、以下のような良い効果を有する。
【００１９】
1、既存の車両運搬車の後柱及びトラスをなくし、背柱の変わりに尾部支持棒を用い、リフトシリンダの伸縮により尾部支持棒の上端を昇降平床に沿って前後に移動させ、昇降平床の昇降を実現した。これにより、前記構造の外観がシンプル且つ滑らかで、重心が低く、本体重量が軽く、省エネルギーで、一定の経済的利益と社会的利益を有する。
【００２０】
2、前スプリングボードを上へ飛ぶように、後スプリングボードを下へ落ちるように設置し、また、スプリングボードの中のスライドダンパを装着していない。これにより、本設計の良い点は、構造がシンプルで、コストが低く、後スプリングボードが1回操作で完成するため、実際に車両を積載する過程の中で、積載効率が大幅に高くなる。
【００２１】
3、前柱は角パイプ構造であり、前柱にスライドスリーブを設置、スライドスリーブに昇降平床を接続することにより、スライドスリーブが前柱に沿って移動すると、連動で昇降平床も上下に移動でき、車両の積載効果を満たすことが可能になる。スライドスリーブに垂直方向に沿って複数のピンホールを設置することにより、ピンを用いて機械的位置限定を行い、シリンダーまたはシリンダーシステムの突然失効により発生する昇降平床の落下を防止することが可能になる。
【００２２】
4、尾部フラップを設置することにより、尾部フラップはフリップシリンダーと連動して一定角度を転覆し、末端を下降または上昇させ、適切な斜面を形成し、商用車を順調に本考案の運搬車のトップの適切な位置まで走行させることで、多機能車両としての効果を実現し、センターアクスルトレーラとセットで列車を構成して輸送すること以外に、トレーラを外して輸送することもできる。（トレーラを外し、単独で使用する）。
【図面の簡単な説明】
【００２３】
【図１】従来の車両運搬車の構造模式図である。
【図２】本考案の多機能車両運搬車の構造模式図である。
【図３】本考案の多機能車両運搬車の昇降平床と尾部支持棒及びリフトシリンダを接続した構造模式図である。
【図４】本考案の多機能車両運搬車の前柱アセンブリの構造模式図である。
【図５】本考案の多機能車両運搬車の実施例の構造模式図である。
【考案を実施するための形態】
【００２４】
図２に示すように、本考案の多機能車両運搬車は昇降平床１を含み、昇降平床１の前端は前柱アセンブリに装着される。昇降平床１の前、後部分には前スプリングボード２と後スプリングボード３が装着され、前スプリングボード２は上へ跳び、後スプリングボード３は下へ落ちる。
【００２５】
図３に示すように、前記昇降平床の後端は尾部支持棒の上端と摺動接続し、尾部支持棒４の上端はピンによりスライダー５とピン接続し、昇降平床１の後部には水平方向のシュート６が設置され、スライダー５はシュート６に沿って前後に移動可能である。シュート６の溝壁には水平方向に沿って複数の第一ピンホール７が設置され、スライダー５とシュート６の間はピンが第一ピンホール７を貫通することによりスライダー５とシュート６を接続して固定する。尾部支持棒４の下端とサブフレーム８の後部はピンによりピン接続し、尾部支持棒４の中間部はピンでリフトシリンダ９の一端とピン接続し、リフトシリンダ９の他端はピンでサブフレーム８の後部とピン接続する。
【００２６】
昇降平床１の上面には取り外し可能な保護ネット１０が装着され、保護ネット１０は錠によりロックを固定する
【００２７】
図４に示すように、前柱アセンブリは長方形前柱１１を含み、前柱１１にはスライドスリーブ１２が被され、昇降平床１の下端にはピン接続座１３が接続され、ピン接続座１３はピンによりスライドスリーブ１２と接続する。前柱１１には垂直方向に沿って複数の第二ピンホール１４が設置され、前記スライドスリーブ１２と前柱１１の間は、ピンがそのうち一つの第二ピンホール１４を貫通することによりスライドスリーブ１２と前柱１１を接続して固定する。
【００２８】
サブフレーム８の後端には尾部フラップ１５がピン接続され、尾部フラップ１５とサブフレーム８の後部の間にはフリップシリンダー１６が装着される。フリップシリンダー16の連動で尾部フラップ１５の末端が下へ転覆する角度は10°〜13°である。
【００２９】
本考案の多機能車両運搬車既存の車両運搬車にある後柱及びトラスを装着せず、後柱の変わりに尾部支持棒４を用い、リフトシリンダ９の伸縮により尾部支持棒４の上端のスライダー５が昇降平床１のシュート６に沿って前後に移動させ、昇降平床１の昇降を実現し、ピンが一つの第一ピンホール７を貫通することによりスライダー５とシュート６を接続して固定する。これにより、前記構造の外観がシンプルで滑らかで、重心が低く、本体重量が軽く、省エネルギーで、一定の経済的利益と社会的利益を有する。前スプリングボード２を上へ飛ぶように、後スプリングボード３を下へ落ちるように設置し、また、スプリングボードの中のスライドダンパを装着していない。これにより、本設計の良い点は、構造がシンプルで、コストが低く、後スプリングボード３が1回操作で完成するため、実際に車両を積載する過程の中で、積載効率が大幅に高くなる。前柱１１は角パイプ構造にし、前柱１１にスライドスリーブ１２を設置、スライドスリーブ１２に昇降平床１を接続することにより、スライドスリーブ１２が前柱１１に沿って移動すると、連動で昇降平床１も上下に移動でき、車両の積載効果を満たすことが可能になる。スライドスリーブ１２に垂直方向に沿って複数の第二ピンホール１４を設置することにより、ピンを用いて機械的位置限定か可能になり、シリンダーまたはシリンダーシステムの突然失効により発生する昇降平床の落下を防止することが可能になる。尾部フラップ１５を設置することにより、尾部フラップ１５はフリップシリンダー１６と連動して一定角度を転覆し、末端を下降または上昇させ、適切な斜面を形成し、商用車を順調に本考案の運搬車のトップの適切な位置まで走行させることで、多機能車両としての効果を実現し、センターアクスルトレーラとセットで列車を構成して輸送すること以外に、トレーラを外して輸送することもできる。（トレーラを外し、単独で使用する）。
【００３０】
以上、本考案の好適な実施形態について説明したが、本考案の範囲を限定するものではなく、本考案の技術的思想から逸脱しなければ、様々な修正および改良も、本考案の請求の範囲によって規定される保護範囲内に含まれるものとする。
【図１】
0003219162.tif 000003
【図２】
0003219162.tif 000004
【図３】
0003219162.tif 000005
【図４】
0003219162.tif 000006
【図５】
0003219162.tif 000007
【手続補正書】
【提出日】平成30年10月15日(2018.10.15)
【手続補正１】
【補正対象書類名】実用新案登録請求の範囲
【補正対象項目名】全文
【補正方法】変更
【補正の内容】
【実用新案登録請求の範囲】
【請求項１】
多機能車両運搬車であって、
前記多機能車両運搬車は昇降平床を含み、前記昇降平床の前、後部分には前スプリングボードと後スプリングボードが装着され、
前記昇降平床の前端は前柱アセンブリに装着され、前記昇降平床の後部は尾部支持棒の上端と摺動接続し、前記尾部支持棒の下端はサブフレームの後部とピン接続し、前記尾部支持棒の中間部はリフトシリンダの一端とピン接続し、前記リフトシリンダの他端はサブフレームの後部とピン接続することを特徴とする多機能車両運搬車。
【請求項２】
前記尾部支持棒の上端にはスライダーがピン接続され、前記昇降平床の後部にはシュートが設置され、前記スライダーはシュートに沿って前後に移動可能であることを特徴とする請求項１に記載の多機能車両運搬車。
【請求項３】
前記シュートの溝壁には水平方向に沿って複数の第一ピンホールが設置され、前記スライダーとシュートの間は、ピンが第一ピンホールを貫通することにより前記スライダーとシュートを接続して固定することを特徴とする請求項２に記載の多機能車両運搬車。
【請求項４】
前記昇降平床の上面には取り外し可能な保護ネットが装着され、前記保護ネットは錠によりロックを固定することを特徴とする請求項３に記載の多機能車両運搬車。
【請求項５】
前記前柱アセンブリは長方形前柱を含み、前記前柱にはスライドスリーブが被され、前記昇降平床はスライドスリーブにピン接続することを特徴とする請求項１〜請求項４のいずれか1項に記載の多機能車両運搬車。
【請求項６】
前記前柱には垂直方向に沿って複数の第二ピンホールが設置され、前記スライドスリーブと前柱の間は、ピンが第二ピンホールを貫通することにより前記スライドスリーブと前柱を接続して固定することを特徴とする請求項５に記載の多機能車両運搬車。
【請求項７】
前記昇降平床の下端にはピン接続座が接続され、前記ピン接続座はピンにより前記スライドスリーブと接続することを特徴とする請求項６に記載の多機能車両運搬車。
【請求項８】
前記サブフレームの後端には尾部フラップがピン接続され，前記尾部フラップとサブフレーム後部の間にはフリップシリンダーが装着されることを特徴とする請求項５に記載の多機能車両運搬車。